【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
物体側から順に、正の屈折力を有する第１レンズ群と、負の屈折力を有する第２レンズ群と、正の屈折力を有する第３レンズ群と、正の屈折力を有する第４レンズ群とから構成され、短焦点距離端から長焦点距離端へのズーミングに際し、第１レンズ群と第２レンズ群の間隔は増大し、第２レンズ群と第３レンズ群の間隔は減少し、第３レンズ群と第４レンズ群の間隔は増大するように、少なくとも第１レンズ群、第２レンズ群及び第３レンズ群を光軸方向に移動させ、次の条件式（１）及び（２）を満足することを特徴とする広角ズームレンズ系。
（１）-０.７＜ｆW／ｆ2＜-０.５
（２）０.４＜Ｘ1／ｆt＜０.８
但し、
ｆW：短焦点距離端での全系の焦点距離、
ｆt：長焦点距離端での全系の焦点距離、
ｆi：第ｉレンズ群（ｉ＝１から４）の焦点距離、
Ｘi：短焦点距離端から長焦点距離端までの第ｉレンズ群の移動距離。
【請求項２】
請求項１記載の広角ズームレンズ系において、次の条件式（３）ないし（５）を満足する広角ズームレンズ系。
（３）|Ｘ1-Ｘ3|／ｆt＜０．１
（４）０．５＜｜ｆ2｜／ｆ3＜１（ｆ2＜０）
（５）２＜ｍ3t／ｍ3w＜４
但し、
ｍ3t：長焦点距離端で無限遠物体に合焦したときの第３レンズ群の近軸横倍率、
ｍ3w：短焦点距離端で無限遠物体に合焦したときの第３レンズ群の近軸横倍率。
【請求項３】
請求項２記載の広角ズームレンズ系において、ズーミングに際し、第１レンズ群と第３レンズ群は一体に移動する（Ｘ1-Ｘ3＝０）広角ズームレンズ系。
【請求項４】
物体側から順に、正の屈折力を有する第１レンズ群と、負の屈折力を有する第２レンズ群と、正の屈折力を有する第３レンズ群と、正の屈折力を有する第４レンズ群とから構成され、短焦点距離端から長焦点距離端へのズーミングに際し、第１レンズ群と第２レンズ群の間隔は増大し、第２レンズ群と第３レンズ群の間隔は減少し、第３レンズ群と第４レンズ群の間隔は増大するように、少なくとも第１レンズ群、第２レンズ群及び第３レンズ群を光軸方向に移動させ、次の条件式（１）、（４）及び（５）を満足することを特徴とする広角ズームレンズ系。
（１）-０.７＜ｆW／ｆ2＜-０.５
（４）０．５＜｜ｆ2｜／ｆ3＜１
（５）２＜ｍ3t／ｍ3w＜４
【請求項５】
請求項４記載の広角ズームレンズ系において、ズーミングに際し、第１レンズ群と第３レンズ群は一体に移動する広角ズームレンズ系。
【請求項６】
請求項１ないし５のいずれか１項記載の広角ズームレンズ系において、第１レンズ群は負レンズ１枚と正レンズ１枚で構成され、次の条件式（６）を満足する広角ズームレンズ系。
（６）ｎＡ＞１．６５
但し、
ｎＡ：第１レンズ群中の正レンズのｄ線に対する屈折率。
【請求項７】
請求項１ないし６のいずれか１項記載の広角ズームレンズ系において、第２レンズ群は、物体側から順に、負レンズ、負レンズ、正レンズの３枚のレンズ、または負レンズ、負レンズ、正レンズ、負レンズの４枚で構成され、次の条件式（７）を満足する広角ズームレンズ系。
（７）ｎＢ＞１．７
但し、
ｎＢ：第２レンズ群中の負レンズのｄ線に対する屈折率の平均値。
【請求項８】
請求項１ないし７のいずれか１項記載の広角ズームレンズ系において、第３レンズ群は正レンズ２枚と負レンズ１枚で構成され、第４レンズ群は正レンズ１枚で構成されている広角ズームレンズ系。
【請求項９】
請求項１ないし７のいずれか１項記載の広角ズームレンズ系において、第４レンズ群はフォーカスレンズ群である広角ズームレンズ系。
【手続補正２】
【補正対象書類名】明細書
【補正対象項目名】０００６
【補正方法】変更
【補正の内容】
【０００６】
本発明による広角ズームレンズ系は、物体側から順に、正の屈折力を有する第１レンズ群と、負の屈折力を有する第２レンズ群と、正の屈折力を有する第３レンズ群と、正の屈折力を有する第４レンズ群とから構成され、短焦点距離端から長焦点距離端へのズーミングに際し、第１レンズ群と第２レンズ群の間隔は増大し、第２レンズ群と第３レンズ群の間隔は減少し、第３レンズ群と第４レンズ群の間隔は増大するように、少なくとも第１レンズ群、第２レンズ群及び第３レンズ群を光軸方向に移動させ、次の条件式（１）及び（２）を満足することを特徴としている。
（１）-０.７＜ｆW／ｆ2＜-０.５
（２）０.４＜Ｘ1／ｆt＜０.８
但し、
ｆW：短焦点距離端での全系の焦点距離、
ｆt：長焦点距離端での全系の焦点距離、
ｆi：第ｉレンズ群（ｉ＝１から４）の焦点距離、
Ｘi：短焦点距離端から長焦点距離端までの第ｉレンズ群の移動距離、
である。
【手続補正３】
【補正対象書類名】明細書
【補正対象項目名】０００８
【補正方法】変更
【補正の内容】
【０００８】
本発明の広角ズームレンズ系は、別の条件式の組合せでは、物体側から順に、正の屈折力を有する第１レンズ群と、負の屈折力を有する第２レンズ群と、正の屈折力を有する第３レンズ群と、正の屈折力を有する第４レンズ群とから構成され、短焦点距離端から長焦点距離端へのズーミングに際し、第１レンズ群と第２レンズ群の間隔は増大し、第２レンズ群と第３レンズ群の間隔は減少し、第３レンズ群と第４レンズ群の間隔は増大するように、少なくとも第１レンズ群、第２レンズ群及び第３レンズ群を光軸方向に移動させ、次の条件式（１）、（４）及び（５）を満足することを特徴としている。
（１）-０.７＜ｆW／ｆ2＜-０.５
（４）０．５＜｜ｆ2｜／ｆ3＜１
（５）２＜ｍ3t／ｍ3w＜４
【手続補正４】
【補正対象書類名】明細書
【補正対象項目名】００１５
【補正方法】変更
【補正の内容】
【００１５】
本発明による４群広角ズームレンズ系は、図２１の簡易移動図に示すように、物体側から順に、正のパワーの第１レンズ群１０と、負のパワーの第２レンズ群２０と、正のパワーの第３レンズ群３０と、負のパワーの第４レンズ群４０とからなっている。Ｉは結像面を示す。短焦点距離端から長焦点距離端へのズーミングに際し、第１レンズ群１０と第２レンズ群２０の間隔は増大し、第２レンズ群２０と第３レンズ群３０の間隔は減少し、第３レンズ群３０と第４レンズ群４０の間隔は増大するように、少なくとも第１レンズ群１０、第２レンズ群２０及び第３レンズ群３０が光軸方向に移動する。絞りＳは、第２レンズ群２０と第３レンズ群３０の間に位置し、第３レンズ３０と一体に移動する。フォーカシングは、第４レンズ群４０を移動させて行う。
【手続補正５】
【補正対象書類名】明細書
【補正対象項目名】００１８
【補正方法】変更
【補正の内容】
【００１８】
条件式（２）は、第１レンズ群の移動量を規定しており、前玉径（第１レンズ群の径）を小さくするための条件である。レンズ系（レンズ鏡筒）の小型化のためには、最も物体側に位置する第１レンズ群の細径化が重要である。しかしながら正レンズ先行型のレンズ系においては、広角端から中間焦点距離の間の焦点距離で、周辺光量が減少しやすいという問題がある。これはこれらの焦点距離域では入射瞳位置が第１レンズ群に対して深くなることと、画角がまだ広いために第１レンズ群の光線高が高くなるためである。周辺光量の低下を防ぐためには、第１レンズ群の径を大きくすればよいが、沈胴式ズームレンズを搭載したカメラでは、大型化は免れない。条件式（２）の下限を超えると、広角端近傍において入射瞳位置が深くなってしまうため、第１レンズ群の径が大きくなる。上限を超えると、望遠端でのレンズ全長が長くなってしまう問題が発生する。
【手続補正６】
【補正対象書類名】明細書
【補正対象項目名】００１９
【補正方法】変更
【補正の内容】
【００１９】
条件式（３）は、ズーミングに際しての第１レンズ群と第３レンズ群の移動量の差に関する条件である。条件式（３）を満足するように、第１レンズ群と第３レンズ群の移動量の差を小さく設定することにより、短焦点距離端でのレンズ全長を短くすることができ、第１レンズ群の径を小さくすることが可能となる。条件式（３）の上限を超えると、望遠端でのＦナンバーが暗くなりやすく、またレンズ全長が長くなってしまう問題が発生する。
【手続補正７】
【補正対象書類名】明細書
【補正対象項目名】００２０
【補正方法】変更
【補正の内容】
【００２０】
第１レンズ群と第３レンズ群は一体に移動させる（Ｘ1-Ｘ3＝０）ことが好ましい。一体に移動させることにより、鏡筒構成が簡素になり、各レンズ群の偏心精度が高くなり結像性能の安定化にも寄与する。
【手続補正８】
【補正対象書類名】明細書
【補正対象項目名】００２７
【補正方法】変更
【補正の内容】
【００２７】
［数値実施例１］
図１ないし図４と表１は、本発明の広角ズームレンズ系の数値実施例１を示している。図１はそのレンズ構成図、図２、図３及び図４はそれぞれ、短焦点距離端、中間焦点距離及び長焦点距離端における諸収差図、表１はその数値データである。第１レンズ群１０（面No. １〜３）は、物体側から順に、物体側に凸面を向けた負メニスカスレンズ１１と正メニスカスレンズ１２の接合レンズからなり、第２レンズ群２０（面No. ４〜１１）は、物体側から順に、像側に凹面を向けた負メニスカスレンズ２１と、両凹レンズ２２と、両凸レンズ２３と、両凹レンズ２４とからなり、第３レンズ群３０（面No. １２〜１６）は、物体側から順に、両凸レンズ３１と、物体側に凸の正メニスカスレンズ３２と負メニスカスレンズ３３との接合レンズとからなり、第４レンズ群４０（面No. １７〜１８）は、両凸レンズ４１からなっている。面No. １９〜２１はカバーガラスＣＧであり、絞りＳは第３レンズ群３０（第１２面）の前方（物体側）０．９０の位置にある。
【手続補正９】
【補正対象書類名】明細書
【補正対象項目名】００２９
【補正方法】変更
【補正の内容】
【００２９】
［数値実施例２］
図５ないし図８と表２は、本発明の広角ズームレンズ系の数値実施例２を示している。図５はそのレンズ構成図、図６、図７及び図８はそれぞれ、短焦点距離端、中間焦点距離及び長焦点距離端における諸収差図、表２はその数値データである。第２レンズ群２０（面No.４〜９）は、物体側から順に、像側に凹面を向けた負メニスカスレンズ２１と、像側に凸面を向けた負メニスカスレンズ２２と、両凸レンズ２３とからなり、第３レンズ群３０（面No. １０〜１５）は、物体側から順に、両凸レンズ３１と負メニスカスレンズ３２の接合レンズと、物体側に凸の正メニスカスレンズ３３と負メニスカスレンズ３４の接合レンズとからなっている。第１レンズ群１０と第４レンズ群４０の構成は数値実施例１と同じである。絞りＳは、第３レンズ群３０（第１０面）の前方（物体側）０．９７の
位置にある。
【手続補正１０】
【補正対象書類名】明細書
【補正対象項目名】００３１
【補正方法】変更
【補正の内容】
【００３１】
［数値実施例３］
図９ないし図１２と表３は、本発明の広角ズームレンズ系の数値実施例３を示している。図９はそのレンズ構成図、図１０、図１１及び図１２はそれぞれ、短焦点距離端、中間焦点距離及び長焦点距離端における諸収差図、表３はその数値データである。第２レンズ群２０（面No.４〜９）は、数値実施例２と同様の３枚のレンズ２１、２２、２３からなり、第３レンズ群３０（面No. １０〜１４）は、数値実施例１と同様の３枚のレンズ３１、３２、３３からなっている。第１レンズ群１０と第４レンズ群４０の構成は数値実施例１と同じである。絞りＳは第３レンズ群３０（第１０面）の前方（物体側）０．７５の位置にある。
【手続補正１１】
【補正対象書類名】図面
【補正対象項目名】図５
【補正方法】変更
【補正の内容】
【図５】
2008046347.tif 000001
【手続補正１２】
【補正対象書類名】図面
【補正対象項目名】図１０
【補正方法】変更
【補正の内容】
【図１０】
2008046347.tif 000002
【手続補正１３】
【補正対象書類名】図面
【補正対象項目名】図１１
【補正方法】変更
【補正の内容】
【図１１】
2008046347.tif 000003
【手続補正１４】
【補正対象書類名】図面
【補正対象項目名】図１２
【補正方法】変更
【補正の内容】
【図１２】
2008046347.tif 000004
【手続補正１５】
【補正対象書類名】図面
【補正対象項目名】図１４
【補正方法】変更
【補正の内容】
【図１４】
2008046347.tif 000005
【手続補正１６】
【補正対象書類名】図面
【補正対象項目名】図１５
【補正方法】変更
【補正の内容】
【図１５】
2008046347.tif 000006
【手続補正１７】
【補正対象書類名】図面
【補正対象項目名】図１６
【補正方法】変更
【補正の内容】
【図１６】
2008046347.tif 000007
【手続補正１８】
【補正対象書類名】図面
【補正対象項目名】図１８
【補正方法】変更
【補正の内容】
【図１８】
2008046347.tif 000008
【手続補正１９】
【補正対象書類名】図面
【補正対象項目名】図１９
【補正方法】変更
【補正の内容】
【図１９】
2008046347.tif 000009
【手続補正２０】
【補正対象書類名】図面
【補正対象項目名】図２０
【補正方法】変更
【補正の内容】
【図２０】
2008046347.tif 000010